(57)【要約】【課題】本発明は、封筒を開封した状態で容易に吊下でき、また、伝票類等の書類を収納した後、容易に封緘でき、かつ、製作容易で大量生産可能な封筒の提供を目的とする。【解決手段】本発明に係る封筒Ａは、封筒表面１に連続するフラップ７を有する封筒において、該フラップの外面７ａに離型紙８ａにより被覆される接着剤層８ｂを設け、該フラップを封筒開口部６側へ折曲し、折曲した該フラップ７をさらに封筒裏面２側に折曲した際に、該フラップ７の外面７ａが当接する封筒裏面の位置に離型紙９ａにより被覆される接着材層９ｂを設けてなることを特徴とするものである。【選択図】        図１
2006256688.tif 000002
【特許請求の範囲】
【請求項１】
封筒表面に連続するフラップを有する封筒において、
該フラップの外面に離型紙により被覆される接着剤層を設け、
該フラップを封筒開口部側へ折曲し、折曲した該フラップをさらに封筒裏面側に折曲した際に、該フラップの外面が当接する封筒裏面の位置に離型紙により被覆される接着材層を設けてなる、
ことを特徴とする封筒。
【請求項２】
フラップを折曲する位置又は折曲したフラップを再度折曲する位置の双方又はいずれか一方に、折曲位置の表示線を印刷したことを特徴とする請求項１に記載の封筒。
【請求項３】
フラップを折曲する位置又は折曲したフラップを再度折曲する位置の双方又はいずれか一方に、封筒を構成するシートの厚みを肉薄にした折れ筋を設けたことを特徴とする請求項１又は２に記載の封筒。
【請求項４】
フラップを折曲する位置又は折曲したフラップを再度折曲する位置の双方又はいずれか一方に、封筒を構成するシートを屈曲した折れ筋を設けたことを特徴とする請求項１〜３のいずれか１項に記載の封筒。
【請求項５】
フラップの外面における離型紙により被覆される接着材層又は封筒裏面における離型紙により被覆される接着材層の双方又はいずれか一方が、接着材層を塗布した後、離型紙を貼着してなることを特徴とする請求項１〜４のいずれか１項に記載の封筒。
【請求項６】
フラップの外面における離型紙により被覆される接着材層又は封筒裏面における離型紙により被覆される接着材層の双方又はいずれか一方が、接着材層を有する離型紙であって、接着後、離型紙のみが接着材層から分離して剥離する離型紙であることを特徴とする請求項１〜５のいずれか１項に記載の封筒。
【発明の詳細な説明】
【技術分野】
【０００１】
本発明は、伝票やメモその他の紙片を収納蓄積するのに適し、また、前記紙片の蓄積状態において閉封することが容易な封筒に関する。
【背景技術】
【０００２】
今日、企業等において経理事務や税理事務等の作業を外部に委託するいわゆるアウトソーシング化が進んでいる。そのため、企業等においては、一定期間、例えば１ヶ月単位で伝票類等を蓄積整理しておき、この蓄積した伝票類等を委託先に送付する作業が行われている。この伝票類を一定期間蓄積整理しておくことは意外に面倒で煩雑な作業であり、しかも伝票類を蓄積し忘れたりや紛失してしまう場合もあり、そのような伝票類を遅れて委託先に送付するような面倒なこともしばしば発生していた。また、蓄積した伝票類を送付する作業も結構面倒であり、煩わしいことであった。
【０００３】
また、上記のように面倒で煩雑な作業は、伝票類を一定期間蓄積し、蓄積した伝票類を委託先に送付する作業だけではなく、企業内において一定期間蓄積しておいた書類をある部署から他の部署へ移送する作業においても同様である。また、一般家庭において日常発生する伝票類やレシートなどを一定期間蓄積整理し、一定期間毎に保管する作業においても、その煩雑さや面倒さが常に感じられているところである。
【発明の開示】
【発明が解決しようとする課題】
【０００４】
しかしながら、上記のような作業を簡便にする封筒、すなわち、封筒を開封した状態で容易に吊下でき、また、伝票類等の書類を収納した後、容易に封緘でき、かつ、製作容易で大量生産可能な封筒が、今まで開発されなかった。
【０００５】
そこで、本発明者は、上記した実情に鑑み、封筒を開封した状態で容易に吊下でき、また、伝票類等の書類を収納した後、容易に封緘でき、かつ、製作容易で大量生産可能な封筒を開発した。
【課題を解決するための手段】
【０００６】
本発明に係る封筒は、封筒表面に連続するフラップを有する封筒において、該フラップの外面に離型紙により被覆される接着剤層を設け、該フラップを封筒開口部側へ折曲し、折曲した該フラップをさらに封筒裏面側に折曲した際に、該フラップの外面が当接する封筒裏面の位置に離型紙により被覆される接着材層を設けてなることを特徴とするものである。
【０００７】
上記のように構成したことにより、フラップ外面の離型紙を剥がせばフラップ外面の接着材層が露出するので、この露出した接着材層を利用してフラップ外面を貼付することにより、当該封筒を机の端や壁面などの適宜の場所に貼着使用することができる。このようにすれば、封筒の開口部が外側に露出して開口するので、封筒内に伝票類その他の書類が収納しやすくなる。なお、上記の構成とは異なって、逆にフラップの内面すなわち開口部側において接着材層が露出するように構成してしまうと、この接着材層によりフラップを貼着した場合には、封筒の開口部が接着した側に位置して隠れてしまうので、封筒内に伝票類その他の書類が収納できなくなる。
【０００８】
また、上記のように当該封筒を貼着使用した後、当該封筒の裏面の離型紙を剥がせば封筒裏面側の接着材層が露出するので、フラップを封筒開口部側へ折曲し、折曲した該フラップをさらに封筒裏面側に折曲すれば、その折り返し面であるフラップの外面が封筒裏面側の接着材層に接着し、封筒を封緘することができる。この際、フラップ外面の接着材層は、接着性が低下しているもののある程度の接着力を有しているが、封筒裏面側に接着するので、他物へ接着するおそれがない上に、封筒裏面側の接着材層と接着すれば、接着強度が向上するので、封筒が強固に封緘できる。
【０００９】
上記の構成に加え、フラップを折曲する位置又は折曲したフラップを再度折曲する位置の双方又はいずれか一方に、折曲位置の表示線を印刷した構成としてもよい。
【００１０】
また、フラップを折曲する位置又は折曲したフラップを再度折曲する位置の双方又はいずれか一方に、封筒を構成するシートの厚みを肉薄にした折れ筋を設けた構成としてもよい。
【００１１】
さらに、フラップを折曲する位置又は折曲したフラップを再度折曲する位置の双方又はいずれか一方に、封筒を構成するシートを屈曲した折れ筋を設けた構成としてもよい。
【００１２】
以上のように構成した場合には、いずれも量産可能であり、コストの低下が図れる。また、フラップを封筒開口部を封緘する側へ折曲し、また、折曲した該フラップをさらに封筒裏面側に折曲することが容易となり、封筒を封緘する際に便利である。
【００１３】
また、上記の構成に加え、フラップの外面における離型紙により被覆される接着材層又は封筒裏面における離型紙により被覆される接着材層の双方又はいずれか一方が、接着材層を塗布した後、離型紙を貼付してなる構成としてもよい。
【００１４】
さらに、フラップの外面における離型紙により被覆される接着材層又は封筒裏面における離型紙により被覆される接着材層の双方又はいずれか一方が、接着材層を有する離型紙であって、接着後、離型紙のみが接着材層から分離して剥離する離型紙である構成としてもよい。
【００１５】
上記のような離型紙により被覆される接着材層は、いずれも量産可能であり、コストの低下が図れる。
【発明の効果】
【００１６】
本発明に係る封筒は、以上のような構成であるため、封筒を開封した状態で容易に吊下でき、また、伝票類等の書類を収納した後、容易に封緘でき、かつ、製作容易で大量生産可能である。したがって、この封筒を使用すれば、従来のように、日常発生する伝票や書類等の蓄積及び整理の作業や送付の作業の際に生じていた面倒さや煩雑さが解消できる利点がある。
【発明を実施するための最良の形態】
【００１７】
以下に、本発明の実施例を添付の図面に基づいて詳細に説明する。
【実施例１】
【００１８】
図１〜図１１は本発明の実施例１に係る封筒であり、図１は封筒の表裏を表す図であって、（ａ）は表面図、（ｂ）は裏面図であり、図２はフラップを封筒開口部側に折曲した封筒裏面側の状態を示す要部斜視図であり、図３は図２の状態においてフラップを封筒裏面側にさらに折曲した状態を示す封筒裏面側の要部斜視図であり、図４はフラップ外面の離型紙を剥がして机の端に貼付する状態を示す概略斜視図であり、図５はフラップ外面の離型紙を剥がして接着材層を露出させたフラップを封筒開口部側に折曲し、封筒裏面の離型紙を剥がして接着材層を露出させた封筒裏面の状態を示す要部斜視図であり、図６は図５の状態においてフラップを封筒裏面側にさらに折曲した封筒裏面の状態を示す要部斜視図であり、図７はフラップを折曲する位置及び折曲したフラップを再度折曲する位置に表示線を印刷した封筒表面の状態を示す要部斜視図であり、図８は図７の変更例であって、フラップを折曲する位置及び折曲したフラップを再度折曲する位置に、封筒を構成するシートの厚みを肉薄にした折れ筋を設けた状態を示す要部拡大断面図であり、図９は図７の変更例であって、フラップを折曲する位置及び折曲したフラップを再度折曲する位置に、封筒を構成するシートを屈曲した折れ筋を設けた状態を示す要部拡大断面図であり、図１０は離型紙により被覆された接着材層の形成手順を示し、接着材層を塗布した後、離型紙を貼付し、これを剥がす手順を示す断面図であり、図１１は図１０の変更例であって、接着材層を有する離型紙を貼付し、これを剥がす手順を示す断面図である。
【００１９】
図１において、Ａは本実施例に係る封筒を示し、表シート１及び裏シート２の左右部３、４及び下部５が閉塞され、上部に開口部６を設けてなる扁平な有底袋状をなしている。表シート１は、その上部に連続して延設されたフラップ７が形成されており、該フラップ７は、開口部６側に折曲すれば開口部６が閉塞できるようになっている。
【００２０】
前記フラップ７には、その外面７ａ側、すなわち、表シート１に連続する側において横方向に離型紙８ａにより被覆される接着材層８ｂが設けられている。この離型紙８ａは接着材層８ｂに接着されているが、離型紙８ａのみが接着材層８ｂから容易に剥離できるようになっている。なお、７ｂはフラップ７の内面を示し、この内面７は開口部６側であって、表シート１の裏面に連続する面である。
【００２１】
また、封筒Ａの裏面シート２には、離型紙９ａにより被覆される接着材層９ｂを設けられている。この離型紙９ａも接着材層９ｂに接着されているが、離型紙９ａのみが接着材層９ｂから容易に剥離できるようになっている。該離型紙９ａにより被覆される接着材層９ｂが設けられている位置は、図２に示すように該フラップ７を開口部６側へ折曲し、さらに図３に示すよう折曲した該フラップ７をさらに封筒Ａの裏面シート２側に折曲した際に、該フラップ７の外面７ａが当接する裏面シート２の位置である。
【００２２】
上記のように本実施例に係る封筒Ａを構成したことにより、フラップ７の外面７ａに貼付されている離型紙８ａを剥がせば、フラップ７の外面７ａの接着材層８ｂが露出する。したがって、この露出した接着材層８ｂを利用してフラップ７の外面７ａを貼付することにより、図４に示すように当該封筒Ａを机Ｂの端Ｂ１に貼着使用することができる。
【００２３】
このようにすれば、封筒Ａの開口部６が外側に露出して開口するので、封筒内に伝票類その他の書類が収納しやすくなる。なお、本実施例の構成とは異なって、フラップの内面側に接着材層が露出するように構成してしまうと、封筒の開口部が接着した側に位置して隠れてしまうので、封筒内に伝票類その他の書類が収納できなくなるのは、前述したとおりである。
【００２４】
また、上記のように当該封筒Ａを机Ｂに貼着して使用した後、封筒Ａを机Ｂから剥がし、当該封筒Ａの裏面シート２の離型紙９ａを剥がせば封筒裏面側の接着材層が露出する。そして、図５に示すように、フラップ７を封筒開口部６を封緘する側へ折曲し、折曲した該フラップ７を、図６に示すように、さらに封筒裏面側に折曲すれば、その折り返し面であるフラップ７の外面７ａが封筒裏面側の接着材層９ｂに接着し、封筒を封緘することができる。この際、フラップ７の外面７ａにおける接着材層８ｂは、机Ｂに貼付されていたり、空気に触れたりして、その接着性が低下している。しかし、接着材層８ｂの接着性が低下しているとはいえ、ある程度の接着力を有しているとしても、封筒裏面側に接着させるので、他物へ接着するおそれがない。また、接着材層８ｂの接着性が低下しているとはいえ、ある程度の接着性を有しているので、接着材層８ｂを封筒裏面側の接着材層９ｂに接着すれば、接着強度が向上するので、封筒が強固に封緘できる。
【００２５】
本実施例においては採用していないが、図７に示すように、本実施例の構成に加え、フラップ７を折曲する位置に折曲位置の表示線１０を印刷し、また、折曲したフラップ７を再度折曲する位置に折曲位置の表示線１１を印刷した構成としてもよい。
【００２６】
また、上記の印刷による表示線１０、１１に代えて、図８に示すように、フラップ７を折曲する位置に封筒Ａを構成するシートの厚みを肉薄にした折れ筋１０ａを設け、また、折曲したフラップ７を再度折曲する位置に封筒Ａを構成するシートの厚みを肉薄にした折れ筋１１ａを設けた構成としてもよい。
【００２７】
さらに、上記の印刷による表示線１０、１１に代えて、図９に示すように、フラップ７を折曲する位置に封筒Ａを構成するシートを屈曲した折れ筋１０ｂを設け、また、折曲したフラップ７を再度折曲する位置に封筒Ａを構成するシートを屈曲した折れ筋１１ｂを設けた構成としてもよい。
【００２８】
以上のように本実施例に、表示線１０、１１、又は、折れ筋１０ａ、１１ａ、又は、折れ筋１０ｂ、１１ｂを設ける構成にした場合には、フラップ７を封筒開口部６を封緘する側へ折曲し、また、折曲した該フラップ７をさらに封筒Ａの裏面側に折曲することが容易となり、封筒Ａを封緘する際に便利である。また、このように付加する構成は、いずれも量産可能であり、コストの低下が図れる。
【００２９】
また、本実施例においては、フラップ７の外面７ａにおける離型紙８ａにより被覆される接着材層８ｂが、図１０に示すように、接着材層８ｂを塗布した後、離型紙８ａを貼付する手順により構成している。また、封筒裏面シート２における離型紙９ａにより被覆される接着材層９ｂが、接着材層９ｂを塗布した後、離型紙９ａを貼付する手順により構成している。このような手順により離型紙８ａ、９ａにより被覆される接着材層８ｂ、９ｂを構成すると、量産が可能であり、かつ、接着剤と離型紙のみで構成できるので、材料費を削減できる。
【００３０】
なお、上記の手順による離型紙８ａ、９ａにより被覆される接着材層８ｂ、９ｂの構成に代えて、フラップ７の外面７ａにおける離型紙８ａにより被覆される接着材層８ｂが、接着材層８ｂを有する離型紙８ａであって、フラップ７の外面７ａに接着後、離型紙８ａのみが接着材層８ｂから分離して剥離するように構成してもよく、また、封筒裏面２における離型紙９ａにより被覆される接着材層９ｂが、接着材層９ｂを有する離型紙９ａであって、封筒裏面２に接着後、離型紙９ａのみが接着材層９ｂから分離して剥離するように構成してもよい。このような手順により離型紙８ａ、９ａにより被覆される接着材層８ｂ、９ｂを構成すると、量産が可能であり、かつ、手順が少なくて済むので、コストが削減できる。
【実施例２】
【００３１】
図１２及び図１３は本発明の実施例２に係る封筒であって、図１２は封筒の表面図であり、図１３は封筒の裏面図である。実施例２は、実施例１に係る封筒を利用した具体的な使用例である。したがって、実施例１と共通する部分は実施例２においても実施例１と同一符号を使用し、その部分の説明は実施例１おける説明を援用する。
【００３２】
図１２に示すように、本実施例の封筒Ａの表面には、宛先名記入欄２０と差出人名記入欄２１が設けられており、図１３に示すように、封筒Ａの裏面には、収納物種別欄２２が設けられている。
【００３３】
当該封筒Ａを経理事務代行会社が使用する場合には、宛先名記入欄２０には自社の住所及び名称等を予め印刷しておき、裏面の収納物種別欄には、領収書や支払明細書などの支出を証明する伝票などを列挙して印刷しておく。この封筒Ａに顧客名及び住所などを差出人名記入欄２１にラベル貼付などの手段により記入して、顧客に配布する。配布された顧客は、実施例１において説明したように、フラップ７の外面７ａに貼付されている離型紙８ａを剥がして接着材層８ｂを露出させ、机や壁面などの適宜の場所に貼着すると封筒Ａの開口部６が外側に露出する状態で吊下されることとなる。また、裏面の収納物種別欄２２が吊下状態において視認できるようになる。この収納物種別欄２２に記載されている支出を証明する伝票などを参照しながら、顧客側で日々発生する伝票など収納して蓄積しておき、例えば月単位で伝票等が収納された当該封筒Ａを取り外す。取り外した封筒Ａは、実施例１において詳述したように、フラップ７を、折れ筋１０ｂを利用して開口部６を封緘する側へ折曲し、封筒裏面側の離型紙９ａを剥がして接着材層９ｂを露出させ、折曲した該フラップ７を、折れ筋１１ｂを利用してさらに封筒裏面側へ折曲して、フラップ７の外面を接着材層９ｂに接着すると、封筒Ａが封緘される。この封緘され、内部に伝票等が収納された封筒Ａを、例えば郵便などの送付手段利用して発送する。この際、封筒Ａには既に宛先名記入欄２０に受取人である経理事務代行会社の住所及び名称等が印刷されており、差出人名記入欄２１に顧客名及び住所などが記入されているので、顧客側では前述した要領で封筒Ａを封緘するだけの作業で経理事務代行会社へ確実に封筒Ａが発送される。当該封筒Ａを受領した経理事務代行会社は封筒Ａを開封し、内容物である伝票等を取り出し、整理及び集計して集計表を作成し、顧客に納品する。このように本実施例における封筒Ａは、これを利用して、日々発生する一定の種類の書類を一定期間収納蓄積しておき、期間終了時に封筒Ａを封緘して、特定の宛名に送付することが容易に、かつ、確実に行うことができるので、従来のように個人個人が伝票等を蓄積したり、収集するような煩雑で面倒な作業が一掃でき、また、伝票類等が紛失するおそれも解消できる。
【００３４】
本発明に係る封筒は、本実施例２に示すような用途に限られるものではなく、封筒の表面及び裏面に適当な表示をしておくことにより、本店と支店との間、部署間などのように離間した複数者の間において、一定の種類の書類を一定期間収納蓄積して配送するような場合にも便利に使用できる。また、封筒の表面及び裏面に適当な表示をしておくことにより、一般家庭などにおいて、日々発生する伝票やレシートを収納しておき、一定期間蓄積したものを集計して家計簿等に記帳し、当該封筒を封緘して年月日などを記入しておくことにより、保管袋としても極めて有用である。
【産業上の利用可能性】
【００３５】
本発明に係る封筒は、開口部が外側に露出した状態で簡単に吊下しておくができ、また、当該封筒は、容易に、かつ、強固に封緘することができるので、収納、輸送、保管等の作業が必要な用途に幅広く使用できる。
【図面の簡単な説明】
【００３６】
【図１】本発明の実施例１に係る封筒の表裏を表す図であって、（ａ）は表面図、（ｂ）は裏面図である。
【図２】本発明の実施例１に係る封筒のフラップを封筒開口部側に折曲した封筒裏面側の状態を示す要部斜視図である。
【図３】図２の状態においてフラップを封筒裏面側にさらに折曲した状態を示す封筒裏面側の要部斜視図である。
【図４】本発明の実施例１に係る封筒のフラップ外面の離型紙を剥がして机の端に貼付する状態を示す概略斜視図である。
【図５】本発明の実施例１に係る封筒のフラップ外面の離型紙を剥がして接着材層を露出させたフラップを封筒開口部側に折曲し、封筒裏面の離型紙を剥がして接着材層を露出させた封筒裏面の状態を示す要部斜視図である。
【図６】図５の状態においてフラップを封筒裏面側にさらに折曲した封筒裏面の状態を示す要部斜視図である。
【図７】本発明の実施例１に係る封筒のフラップを折曲する位置及び折曲したフラップを再度折曲する位置に表示線を印刷した封筒表面の状態を示す要部斜視図である。
【図８】図７の変更例であって、フラップを折曲する位置及び折曲したフラップを再度折曲する位置に、封筒を構成するシートの厚みを肉薄にした折れ筋を設けた状態を示す要部拡大断面図である。
【図９】図７の変更例であって、フラップを折曲する位置及び折曲したフラップを再度折曲する位置に、封筒を構成するシートを屈曲した折れ筋を設けた状態を示す要部拡大断面図である。
【図１０】本発明の実施例１に係る封筒ついて、離型紙により被覆された接着材層の形成手順を示し、接着材層を塗布した後、離型紙を貼付し、これを剥がす手順を示す断面図である。
【図１１】図１０の変更例であって、接着材層を有する離型紙を貼付し、これを剥がす手順を示す断面図である。
【図１２】本発明の実施例２に係る封筒の表面図である。
【図１３】本発明の実施例２に係る封筒の裏面図である。
【符号の説明】
【００３７】
Ａ・・・封筒
Ｂ・・・机
Ｂ１・・机の端部
１・・・表シート
２・・・裏シート
３・・・封筒左部
４・・・封筒右部
５・・・封筒下部
６・・・開口部
７・・・フラップ
７ａ・・フラップの外面
７ｂ・・フラップの内面
８ａ・・離型紙
８ｂ・・接着材層
９ａ・・離型紙
９ｂ・・接着材層
１０・・表示線
１１・・表示線
１０ａ・折れ筋
１０ｂ・折れ筋
１１ａ・折れ筋
１１ｂ・折れ筋
２０・・宛先名記入欄
２１・・差出人名記入欄
２２・・収納物種別欄
【図１】
2006256688.tif 000003
【図２】
2006256688.tif 000004
【図３】
2006256688.tif 000005
【図４】
2006256688.tif 000006
【図５】
2006256688.tif 000007
【図６】
2006256688.tif 000008
【図７】
2006256688.tif 000009
【図８】
2006256688.tif 000010
【図９】
2006256688.tif 000011
【図１０】
2006256688.tif 000012
【図１１】
2006256688.tif 000013
【図１２】
2006256688.tif 000014
【図１３】
2006256688.tif 000015